(57)【要約】【課題】ディーゼルエンジン燃料噴射システムの燃料漏れの有無を正確に判定することができるディーゼルエンジン燃料噴射システムの微細漏油点検システムを提供する。【解決手段】本発明の実施例によるディーゼルエンジン燃料噴射システムの微細漏油点検システムは、エンジン組立ライン上のディーゼルエンジンをクランキングさせるクランキング装置；燃料と蛍光物質とを混合して前記ディーゼルエンジンに供給する混合器；前記ディーゼルエンジン燃料噴射システムの周囲に紫外線を照射する紫外線ランプ；前記紫外線ランプから前記燃料噴射システムの周囲に紫外線が照射される状態で、前記燃料噴射システムの周囲の色相変化に基づいて判定される燃料漏れの有無に対するデータを受信するＩＤシステム；及び  前記ＩＤシステムから燃料漏れの有無に対するデータを受信して、燃料漏れの有無によって前記燃料噴射システム及び前記エンジン組立ラインの装置の駆動を制御するＰＬＣ；を含む。【選択図】図４
2004340959.tif 000002
【特許請求の範囲】
【請求項１】
燃料と蛍光物質とを混合させる混合器；
前記混合器から蛍光物質を含んだ燃料の供給を受けるディーゼルエンジンをクランキングさせるエンジンクランキング装置；
前記エンジンクランキング装置によってクランキングされるディーゼルエンジン燃料噴射システムに装備し、紫外線を照射する紫外線ランプ；
前記紫外線ランプから紫外線が照射される状態で、前記燃料噴射システムの周囲の色相変化に基づいて判定される燃料漏れの有無に対するデータを受信するＩＤシステム；及び
前記ＩＤシステムから燃料漏れの有無に対するデータを受信して、前記燃料噴射システムの駆動を制御するＰＬＣ；
を含むことを特徴とするディーゼルエンジン燃料噴射システムの微細漏油点検システム。
【請求項２】
前記エンジンクランキング装置は、
回転力を提供するモータ；及び
前記モータの回転軸は前記ディーゼルエンジンに連結し、あるいは前記ディーゼルエンジンから分離するように、前記モータの回転軸を前、後進させるエアーシリンダー；を含むことを特徴とする請求項１に記載のディーゼルエンジン燃料噴射システムの微細漏油点検システム。
【請求項３】
組立られたディーゼルエンジンにエンジンクランキング装置を連結する段階；
エンジンクランキング装置の駆動により前記ディーゼルエンジンをクランキングさせる段階；
前記ディーゼルエンジンがクランキングされれば、蛍光物質を含んだ燃料を前記ディーゼルエンジン燃料噴射システムに供給する段階；
紫外線ランプを作動させて前記燃料噴射システムの周囲に紫外線を照射する段階；
前記紫外線が照射される状態で、前記燃料噴射システムの周囲の色相変化に基づいて燃料漏れの有無を判定する段階；
燃料漏れがあると判定されれば、前記ディーゼルエンジンを再組立する段階；及び
燃料漏れがないと判定されれば、前記ディーゼルエンジンから前記エンジンクランキング装置を分離させた後に、パワーコンベヤーの駆動によりディーゼルエンジンを搬出する段階；
を含むことを特徴とするディーゼルエンジン燃料噴射システムの微細漏油点検システムの制御方法。
【請求項４】
エンジン組立ライン上のディーゼルエンジンをクランキングさせるクランキング装置；
燃料と蛍光物質とを混合して前記ディーゼルエンジンに供給する混合器；
前記ディーゼルエンジン燃料噴射システムの周囲に紫外線を照射する紫外線ランプ；
前記紫外線ランプから前記燃料噴射システムの周囲に紫外線が照射される状態で、前記燃料噴射システムの周囲の色相変化に基づいて判定される燃料漏れの有無に対するデータを受信するＩＤシステム；及び
前記ＩＤシステムから燃料漏れの有無に対するデータを受信して、燃料漏れの有無によって前記燃料噴射システム及び前記エンジン組立ラインの装置の駆動を制御するＰＬＣ；
を含むことを特徴とするディーゼルエンジン燃料噴射システムの微細漏油点検システム。
【請求項５】
前記クランキング装置は、
回転力を提供するモータ；及び
前記モータの回転軸を前記ディーゼルエンジンに連結し、あるいは前記ディーゼルエンジンから分離するように、前記モータの回転軸を前、後進させるエアーシリンダー；
を含むことを特徴とする請求項４に記載のディーゼルエンジン燃料噴射システムの微細漏油点検システム。
【請求項６】
エンジン組立ライン上のディーゼルエンジンをクランキングさせる段階；
前記ディーゼルエンジン燃料噴射システムを通じて蛍光物質を含んだ燃料を前記ディーゼルエンジンに供給する段階；
前記燃料噴射システムの周囲に紫外線を照射する段階；及び
前記燃料噴射システムの周囲に紫外線が照射される状態で、前記燃料噴射システムの周囲の色相変化に基づいて燃料漏れの有無を判定する段階；
を含むことを特徴とするディーゼルエンジン燃料噴射システムの微細漏油点検システム制御方法。
【請求項７】
前記燃料漏れの有無に基づいて前記エンジン組立ラインの駆動を制御する段階をさらに含むことを特徴とする請求項６に記載のディーゼルエンジン燃料噴射システムの微細漏油点検システム制御方法。
【発明の詳細な説明】
【技術分野】
【０００１】
本発明は、ディーゼルエンジン燃料噴射システムの微細漏油点検システム及びその制御方法に関する。
【背景技術】
【０００２】
最近、ディーゼルエンジンは、出力向上のために燃料を高圧に圧縮して燃焼室に供給する燃料噴射システム（ｆｕｅｌ  ｉｎｊｅｃｔｉｏｎ  ｓｙｓｔｅｍ）を備えている。このようなディーゼルエンジン燃料噴射システムは、図１に示すように、高圧ポンプ１、コモンレール３、燃料圧力調節器５、及びインジェクター７から構成され、高圧ポンプ１で発生した高圧の燃料は、高圧パイプ９に連結されるコモンレール３及びインジェクター７を通じてシリンダーに供給される。
【０００３】
このように、燃料噴射システムは、高圧の燃料を供給するため、高圧ポンプ１のケース接合部（ａ）、高圧パイプ９と連結する連結部（ｂ）、シリンダーブロックと連結する連結部（ｃ）、コモンレール３と連結する連結部（ｄ）、燃料圧力調節器５と連結する連結部（ｅ）、及びインジェクター７と連結する連結部（ｆ）などで燃料の微細漏油が発生する場合がある。
【０００４】
図２は、現在のディーゼルエンジン燃料噴射システムの微細漏油点検がエンジン性能検査と並行して実施されていることを示している。つまり、ディーゼルエンジンの組立が完了すれば、ファイヤリング点検を実施して合格したエンジンだけを完成させ、不合格になったエンジンは再組立される。このファイヤリング点検の際に、作業者は、肉眼で微細漏油点検を実施する。しかし、燃料の色が透明で、ファイヤリング点検の際に高圧が形成されるので騷音及び振動が発生し、漏油部位が多いため、作業者が予想される全ての漏油部位に対して正確に漏油点検を行なうのは困難であった。
【特許文献１】特開２００１−２１４８３３号公報
【発明の開示】
【発明が解決しようとする課題】
【０００５】
本発明は前記のような問題点を解消するためのものであって、本発明の目的は、燃料噴射システムの微細漏油点検を精度よく行なうことによって、エンジンの不良を減少させるディーゼルエンジン燃料噴射システムの微細漏油点検システム及びその制御方法を提供することにある。
【課題を解決するための手段】
【０００６】
本発明の実施例によるディーゼルエンジン燃料噴射システムの微細漏油点検システムは、
燃料と蛍光物質とを混合させる混合器；
前記混合器から蛍光物質を含んだ燃料の供給を受けるディーゼルエンジンをクランキングさせるエンジンクランキング装置；
前記エンジンクランキング装置によってクランキングされるディーゼルエンジン燃料噴射システムに備えられて、紫外線を照射する紫外線ランプ；
前記紫外線ランプから紫外線が照射される状態で、前記燃料噴射システムの周囲の色相変化に基づいて判定される燃料漏れの有無に関するデータを受信するＩＤシステム；及び
前記ＩＤシステムから燃料漏れの有無に関するデータを受信して、前記燃料噴射システムの駆動を制御するＰＬＣ；を含む。
【０００７】
前記エンジンクランキング装置は、
回転力を提供するモータ；及び
前記モータの回転軸を前記ディーゼルエンジンに連結し、あるいは前記ディーゼルエンジンから分離するように、前記モータの回転軸を前、後進させるエアーシリンダー；を含む。
【０００８】
本発明の実施例によるディーゼルエンジン燃料噴射システムの微細漏油点検システムの制御方法は、
組立られたディーゼルエンジンにエンジンクランキング装置を連結する段階；
エンジンクランキング装置の駆動により前記ディーゼルエンジンをクランキングさせる段階；
前記ディーゼルエンジンがクランキングされれば、蛍光物質を含んだ燃料を前記ディーゼルエンジン燃料噴射システムに供給する段階；
紫外線ランプを作動させて前記燃料噴射システムの周囲に紫外線を照射する段階；
前記紫外線が照射される状態で、前記燃料噴射システムの周囲の色相変化に基づいて燃料漏れの有無を判定する段階；
燃料漏れがあると判定されれば、前記ディーゼルエンジンを再組立する段階；及び
燃料漏れがないと判定されれば、前記ディーゼルエンジンから前記エンジンクランキング装置を分離させた後に、パワーコンベヤーの駆動によりディーゼルエンジンを搬出する段階；を含む。
【０００９】
本発明の実施例によるディーゼルエンジン燃料噴射システムの微細漏油点検システムは、
エンジン組立ライン上のディーゼルエンジンをクランキングさせるクランキング装置；
燃料と蛍光物質とを混合して前記ディーゼルエンジンに供給する混合器；
前記ディーゼルエンジン燃料噴射システムの周囲に紫外線を照射する紫外線ランプ；
前記紫外線ランプから前記燃料噴射システムの周囲に紫外線が照射される状態で、前記燃料噴射システムの周囲の色相変化に基づいて判定される燃料漏れの有無に対するデータを受信するＩＤシステム；及び
前記ＩＤシステムから燃料漏れの有無に対するデータを受信して、燃料漏れの有無によって前記燃料噴射システム及び前記エンジン組立ラインの装置の駆動を制御するＰＬＣ；を含む。
【００１０】
前記クランキング装置は、
回転力を提供するモータ；及び
前記モータの回転軸を前記ディーゼルエンジンに連結し、あるいは前記ディーゼルエンジンから分離するように、前記モータの回転軸を前、後進させるエアーシリンダー；を含むのが好ましい。
【００１１】
本発明の実施例によるディーゼルエンジン燃料噴射システムの微細漏油点検システム制御方法は、
エンジン組立ライン上のディーゼルエンジンをクランキングさせる段階；
前記ディーゼルエンジン燃料噴射システムを通じて蛍光物質を含んだ燃料を前記ディーゼルエンジンに供給する段階；
前記燃料噴射システムの周囲に紫外線を照射する段階；及び
前記燃料噴射システムの周囲に紫外線が照射される状態で、前記燃料噴射システムの周囲の色相変化に基づいて燃料漏れの有無を判定する段階；を含む。
【００１２】
本発明の実施例によるディーゼルエンジン燃料噴射システムの微細漏油点検システム制御方法は、前記燃料漏れの有無に基づいて前記エンジン組立ラインの駆動を制御する段階をさらに含むのが好ましい。
【発明の効果】
【００１３】
以上のように、本発明の実施例では、燃料と蛍光物質との混合物をディーゼルエンジンに供給して、燃料噴射システムの周囲に紫外線を照射した後に、燃料漏れの有無が判定されるので、燃料漏れ判定がより精度よく行なえる。
【発明を実施するための最良の形態】
【００１４】
以下、本発明の好ましい実施例について、添付した図面を参照して詳細に説明する。
【００１５】
図３に示すように、本発明の実施例によるディーゼルエンジン燃料噴射システムの微細漏油点検（ｆｕｅｌ  ｌｅａｋ  ｔｅｓｔ）方法が適用されたエンジン性能検査過程においては、ディーゼルエンジンのファイヤリング（ｆｉｒｉｎｇ）点検とは別途に微細漏油点検が行なわれる。つまり、微細漏油点検過程を通過したディーゼルエンジンだけがファイヤリング点検過程を経るようになる。
【００１６】
本発明の実施例によるディーゼルエンジンの微細漏油点検システムは、図４に示すように、混合器１１、エンジンクランキング装置１３、紫外線ランプ１５、ＩＤシステム（Ｉｄｅｎｔｉｆｉｃａｔｉｏｎ  Ｓｙｓｔｅｍ）１７、及びＰＬＣ（Ｐｒｏｇｒａｍｍａｂｌｅ  Ｌｏｇｉｃ  Ｃｏｎｔｒｏｌｌｅｒ）１９を含む。
【００１７】
混合器１１は、燃料タンク２３の燃料と蛍光物質タンク２１の蛍光物質とを互いに混合して、混合タンク２５に供給する。
【００１８】
燃料に蛍光物質を混合させることによって、純粋な燃料に比べて視認性が向上する。この時、燃料と蛍光物質との混合比率は、１０：１程度が好ましい。
【００１９】
混合タンク２５に供給される蛍光物質を含んだ燃料は、高圧ポンプ２７の作動によってコモンレール２９及びインジェクター３１を通じて高圧状態でディーゼルエンジン３３に供給される。
【００２０】
エンジンクランキング装置１３は、ディーゼルエンジン３３をクランキング（ｃｒａｎｋｉｎｇ）するように構成される。つまり、エンジンクランキング装置１３は、回転力を提供するモータ３５と、このモータ３５の回転軸３７を前進または後進させるエアーシリンダー３９とを含むのが好ましい。このエアーシリンダー３９の作動によって、モータ３５の回転軸３７をディーゼルエンジン３３に連結し、あるいはディーゼルエンジン３３から分離して、モータ３５の動力を選択的にディーゼルエンジン３３に伝達する。
【００２１】
ディーゼルエンジン３３は、混合器１１から蛍光物質を含んだ燃料の供給を受ける。
【００２２】
紫外線ランプ１５は、高圧ポンプ２７、コモンレール２９、及びインジェクター３１を含む燃料噴射システムの周囲に紫外線を照射するように構成する。燃料噴射システムで燃料が漏れて蛍光物質に紫外線が照射されれば、色相変化が起こるようになる。結果的に、燃料噴射システムの周囲に紫外線を照射することによって、作業者は燃料漏れの有無をより容易に判定することができる。
【００２３】
ＩＤシステム１７は、組立られるエンジンを識別するためにエンジン組立ラインで広く用いられる装置であり、序列指示、作業情報、及び仕様情報など各種データを含む。ＩＤシステム１７は、このような各種データの入力及び送受信などのために、ＩＤカード（ＩＤ  ｃａｒｄ）、ＩＤアンテナ（ＩＤ  ａｎｔｅｎｎａ）、ＩＤコントローラ（ＩＤ  ｃｏｎｔｒｏｌｌｅｒ）、ＩＤリーダ（ＩＤ  ｒｅａｄｅｒ）、及びＩＤライター（ＩＤ  ｗｒｉｔｅｒ）などを含むのが好ましい。また、本発明の実施例では、ＩＤシステム１７は、紫外線ランプ１５によって照射された紫外線による燃料噴射システム周囲の色相変化に基づいて判定される燃料漏れの有無に対するデータを受信するように構成される。
【００２４】
ＰＬＣ１９は、ＩＤシステム１７から燃料漏れの有無に関するデータを受信する。そして、ＰＬＣ１９は、燃料漏れの有無に関するデータに基づいてエンジンクランキング装置１３、高圧ポンプ２７、インジェクター３１、及びエンジン組立ラインの各種装置を制御する。
【００２５】
前記のように構成されるディーゼルエンジン燃料噴射システムの微細漏油点検システムの制御方法を、図５にフローチャートで示す。
【００２６】
最初に、組立が完了したディーゼルエンジンがファイヤリング点検場所ではない別途の場所に到着する（ＳＴ１０）。組立られたディーゼルエンジンは、ファイヤリング点検前に本発明の実施例による漏油点検が実施され、微細漏油点検に合格したディーゼルエンジンだけがファイヤリング点検過程に進む。ディーゼルエンジンが到着したか否かは、到着確認センサー（図示せず）によって感知されるのが好ましい。
【００２７】
ディーゼルエンジン３３が到着すれば、エアーシリンダー３９の伸張作動によってエンジンクランキング装置１３のモータ３５が前進し、回転軸３７がディーゼルエンジン３３に連結される（ＳＴ２０）。
【００２８】
その後、モータ３５が駆動され、ディーゼルエンジンのクランキング段階（ＳＴ３０）が行われる。このクランキング段階（ＳＴ３０）では、エンジンクランキング装置１３を前進させた状態で、エンジンクランキング装置１３のモータ３５の駆動によりディーゼルエンジン３３をクランキングする。エンジンクランキング装置１３が前進したか否かは、前進確認センサー（図示せず）によって感知するのが好ましい。
【００２９】
このクランキング段階（ＳＴ３０）の次に、燃料を供給する段階（ＳＴ４０）が行われる。この燃料供給段階（ＳＴ４０）で、ディーゼルエンジン３３がクランキングされながら高圧ポンプ２７が駆動され、蛍光物質を含んだ燃料をコモンレール２９及びインジェクター３１を通じてディーゼルエンジン３３に高圧で供給する。
【００３０】
この燃料供給段階（ＳＴ４０）の次に、漏油を確認及び判定する段階（ＳＴ５０）が行われる。この漏油確認及び判定段階（ＳＴ５０）で、紫外線ランプ１５を作動させて燃料噴射システムの周囲に紫外線を照射し、燃料漏れの有無を判定する。燃料漏れの有無が燃料噴射システム周囲の色相変化に基づいて判定されるのは前記の通りである。この漏油確認及び判定段階（ＳＴ５０）は、ＩＤシステム１７に燃料漏れの有無に関するデータを入力する段階と、燃料漏れの有無に関するデータをＩＤシステム１７からＰＬＣ１９に送信する段階とを含むのが好ましい。前記のように、ＰＬＣ１９は、燃料漏れの有無に関するデータに基づいて本システムの全ての動作を制御する。
【００３１】
この漏油確認及び判定段階（ＳＴ５０）で不合格判定（燃料漏油ありと判定）されれば、当該ディーゼルエンジン３３を再組立する。
【００３２】
反面、漏油確認及び判定段階（ＳＴ５０）で合格判定（燃料漏油なしと判定）されれば、エアーシリンダー３９の収縮作動によってエンジンクランキング装置１３のモータ３５を後進させる（ＳＴ６０）。この後進段階（ＳＴ６０）でディーゼルエンジン３３に連結されたモータ３５の回転軸３７がディーゼルエンジン３３から分離される。エンジンクランキング装置１３が後進したか否かは、後進確認センサー（図示せず）によって感知できる。
【００３３】
この後進段階（ＳＴ６０）の次に、ディーゼルエンジンを排出する段階（ＳＴ７０）が行われる。このディーゼルエンジン排出段階（ＳＴ７０）では、エンジンクランキング装置１３を後進させて、パワーコンベヤー（ｐｏｗｅｒ  ｃｏｎｖｅｙｏｒ）（図示せず）の駆動によりディーゼルエンジン３３を排出する。
【図面の簡単な説明】
【００３４】
【図１】ディーゼルエンジン燃料噴射システムの斜視図である。
【図２】従来の技術によるディーゼルエンジン燃料噴射システムの微細漏油点検を併行するエンジン性能検査構成図である。
【図３】本発明によるディーゼルエンジン燃料噴射システムの微細漏油点検を別途に実施するエンジン性能検査構成図である。
【図４】本発明によるディーゼルエンジン燃料噴射システムの微細漏油点検システムの構成図である。
【図５】本発明によるディーゼルエンジン燃料噴射システムの微細漏油点検システム制御方法の順序図である。
【符号の説明】
【００３５】
１１  混合器
１３  エンジンクランキング装置
１５  紫外線ランプ
１７  ＩＤシステム
１９  ＰＬＣ
２１  蛍光物質タンク
２３  燃料タンク
２５  混合タンク
２７  高圧ポンプ
２９  コモンレール
３１  インジェクター
３３  ディーゼルエンジン
３５  モータ
３７  回転軸
３９  エアーシリンダー
【図１】
2004340959.tif 000003
【図２】
2004340959.tif 000004
【図３】
2004340959.tif 000005
【図４】
2004340959.tif 000006
【図５】
2004340959.tif 000007